(57)【要約】【課題】フレキシブルホースの先端に回転可能に取り付けた噴射ノズルの偏心位置に叩打剥ぎ取り部材を取り付け、噴射ノズルからの噴射水によって噴射ノズルを回転し、推進させながら、この噴射水の吹きつけと叩打ブラシの叩打によって管内面を洗浄するようにした管内用洗浄機の全体の小型化と、保守性の改善と共に、低水圧下での洗浄効率を高めること。【解決手段】先端にフレキシブルホースに差し込む差し込み部１２を有し、且つ、内部に高圧水通路１１を形成した同心円筒状シリンダからなる支承体１と、支承体１の差し込み部１２より先端側の外周面に、シートベアリング２１を介して取り付けられ偏心回転する円筒体からなる偏心回転体２と、この偏心回転体２の外面に固定された削取りバランス材３と、支承体１より先端側位置において、偏心回転体２の頂部に着脱可能に取り付けられたヘッドキャップ４の各部材から構成される高圧水噴射ノズルを有する。【選択図】図１
2005066551.tif 000002
【特許請求の範囲】
【請求項１】
フレキシブルホ−スの先端に偏心回転可能に取り付けた高圧水噴射ノズルに管内面付着物を剥がし取る剥がし取り手段を設け、この高圧水噴射ノズルの偏心回転時の前記剥がし取り手段による管内面付着物の剥離と高圧水噴射ノズルからの噴射水の吹きつけによって管内を洗浄する管内用洗浄機であって、
前記高圧水噴射ノズルは、
基端側にフレキシブルホ−スに差し込む差し込み部を有し、且つ、内部に高圧水通路を形成した同心円筒状シリンダからなる支承体と、
前記支承体の差し込み部より先端側の外周面に、シートベアリングを介して取り付けられ偏心回転する円筒体からなる偏心回転体と、
この偏心回転体の外面に固定された削取りバランス材と、
前記支承体より先端側位置において、前記偏心回転体の頂部に着脱可能に取り付けられたヘッドキャップの各部材から構成される管内用洗浄機。
【請求項２】
各部材が相互に任意に解体と組立てが可能に構成されている請求項１に記載の管内用洗浄機。
【請求項３】
高圧水噴射ノズルには、支承体の高圧水通路からの高圧水を噴射する噴射口として、支承体の基部に設けられた推進用噴射口と、偏心回転体の側面に設けられた回転用噴射口と、ヘッドキャップの先端に設けられた前方管内面付着物除去用噴射口を有する請求項１に記載の管内用洗浄機。
【請求項４】
支承体の高圧水通路からの高圧水を噴射する噴射口の基部に、高圧水の溜まりを形成した請求項３に記載の管内用洗浄機。
【発明の詳細な説明】
【技術分野】
【０００１】
本発明は、水道管のような配管内部に挿入して、配管内部に付着した錆類や塵埃などの汚物を除去する管内用洗浄機に関する。
【背景技術】
【０００２】
係る管内用洗浄機として、フレキシブルホースの先端に取り付けた噴射ノズルを回転し推進させながら、噴射ノズル管からの噴射水によって内面を洗浄する形式のものがある。  この管内用洗浄機は、フレキシブルホースの先端に取り付けられて柔軟に曲がるので、洗浄すべき管が曲がっていても、その曲がりに沿って、噴射ノズルを推進させつつ、水圧を内壁面に噴射して洗浄する。
【０００３】
この管内用洗浄機の洗浄効率を挙げるため、特許文献１に記載されているように、噴射ノズルの先端に棒状の叩打ブラシを偏心位置に設け、これによって噴射ノズルを偏心回転せしめ、その際、噴射ノズルからの高圧水による内壁面の洗浄とともに叩打ブラシを内壁面に叩打して付着物を剥ぎ落とすようにした方式のものと、特許文献２に記載されているように、高圧水によって回転する回転羽根を設け、この回転羽根にスパイラル状に剥ぎ落としブラシを設けたものが提案されている。
【特許文献１】実公平４−３７６７１号公報
【特許文献２】特開２００２−１４３７９８号公報
【発明の開示】
【発明が解決しようとする課題】
【０００４】
本発明は、前記特許文献１に記載の洗浄用高圧水とともに叩打的に剥ぎ取り手段を併用した管内用洗浄機の改良に係る。すなわち、上記従来の叩打剥ぎ取り手段を併用した管内用洗浄機は、上記の利点を有しておりながら、小径管体への適用性、構造、保守性に改良すべき点がある。
【０００５】
本発明が解決しようとする課題は、上記特許文献１に記載のフレキシブルホースの先端に回転可能に取り付けた噴射ノズルの偏心位置に叩打剥ぎ取り部材を取り付け、噴射ノズルからの噴射水によって噴射ノズルを回転し、推進させながら、この噴射水の吹きつけと叩打ブラシの叩打によって管内面を洗浄するようにした管内用洗浄機の全体の小径化と、保守性の改善と共に、低水圧下での洗浄効率を高めることにある。
【課題を解決するための手段】
【０００６】
本願発明は、フレキシブルホースの先端に偏心回転可能に取り付けた高圧水噴射ノズルに管内面付着物を剥がし取る剥がし取り手段を設け、この高圧水噴射ノズルの偏心回転時の前記剥がし取り手段による管内面付着物の剥離と高圧水噴射ノズルからの噴射水の吹きつけによって管内を洗浄する管内用洗浄機であって、前記高圧水噴射ノズルは、基端側にフレキシブルホ−スに差し込む差し込み部を有し、且つ、内部に高圧水通路を形成した同心円筒状シリンダからなる支承体と、前記支承体の差し込み部より先端側の外周面に、シートベアリングを介して取り付けられ偏心回転する円筒体からなる偏心回転体と、この偏心回転体の外面に固定された削取りバランス材と、前記支承体より先端側位置において、前記偏心回転体の頂部に着脱可能に取り付けられたヘッドキャップの各部材から構成される管内用洗浄機である。
【０００７】
これによって、それぞれの部材は、管内用洗浄機のための高圧水噴射ノズルとしての必要なフレキシブルホースからの高圧水導入と、専ら洗浄のための高圧水噴射、それととともに、ノズル推進用と、偏心回転体の駆動用のそれぞれの機能を発揮させるための小部品としてそれぞれ機能別に調製でき、従来のものよりも、はるかに小さく、且つ、洗浄機能に優れた管内用洗浄機とすることができ、従来困難であった小管への適用が可能となる。
【０００８】
また、これらの部材は、相互にスラット機構あるいはネジ機構によって簡単に分解できるように構成することができ、各部材の清掃と取り替え組み立てを簡単に行うことができる。
【発明の効果】
【０００９】
本発明の管内用洗浄機の構成部材は分解可能に取り付けられているので、各部材の加工が容易となり小型化が可能であり、高圧水噴射ノズルの小型化、軽量化が達成できる。したがって、高圧水噴射ノズルを回転駆動させる駆動力（水圧）が小さくて済み、従来の管内用洗浄機よりもより低圧での作動が可能となる。
【００１０】
そして、これらの構成部材は、機能的な小部品として調製できるので、従来のものよりも、ほぼ半分の大きさの管内用洗浄機とすることができる。
【００１１】
また、これらの構成部材は、相互にスラット機構あるいはネジ機構によって簡単に分解できるようになっており、とくに、偏心回転体（本体）の頂部内側とネジ機構で螺合されたヘッドキャップは本体から簡単に取り外して、各部材の清掃と取り替えを簡単に行うことができる。
【発明を実施するための最良の形態】
【００１２】
以下、本発明の実施の形態を以下の実施例に基づいて説明する。
【実施例】
【００１３】
本発明に係る管内用洗浄機は、従来の管内用洗浄機と同様にフレキシブルホースの先端に取り付けられて使用される。
【００１４】
図１の断面構成図に見られるように、本発明に係る管内用洗浄機１０を構成する高圧水噴射ノズルにおいて、１は支承体を、２は偏心回転体を、３は削取りバランス材（カットバランサ）を、また、４はヘッドキャップを示す。また、図２は図１を上方から見た外観図である。
【００１５】
支承体１は、内部に高圧水通路１１を有する同心円筒状シリンダからなり、一方の端部（基端側）にはフレキシブルホースとの差し込み部１２が形成され、推進用噴射口を設けるための基部１３と回転体取り付け部１４が形成され、先端は、偏心回転体２の内部上端面のワッシャー１５を介してビス１６によってビス止めされている。
【００１６】
偏心回転体２は、図２に示すように、肉厚が一方向に偏った偏心円筒体からなり、支承体１の回転体取り付け部１４の外周面に上下位置に配置されたシートベアリング２１を介して、支承体１に偏心回転が自在に取り付けられている。
【００１７】
削取りバランス材３は、図２に見られるように、この偏心回転する偏心回転体２の偏心側すなわち肉薄側の外面に溶接のような手段で強固に一体的に固定された肉厚の片状体からなり、偏心回転体２の偏心回転によって管内壁に当たり、内壁固着物を削り取るとともに、偏心して取り付けられた偏心回転体２の回転に際してのバランスを取る機能を有する。その中央側面には偏心回転体２の回転に伴う回転に際しての抵抗を少なくするための穴３１が設けられている。
【００１８】
ヘッドキャップ４は、高圧水噴射ノズルの推進カバーであって、ビス１６の上方に形成された高圧水溜まり４１の上面を閉塞するように、その下端は偏心回転体２の頂部内周面に形成されたネジ山と螺合し、偏心回転体２と着脱自在に取り付けられている。
【００１９】
管内用洗浄機を構成する上記高圧水噴射ノズルには、支承体１の高圧水通路１１内に導入された高圧水を管内壁に向かって噴射するための噴射口が、支承体１の基部１３と、偏心回転体２の一側面と、ヘッドキャップ４の先端とのそれぞれに設けられている。
【００２０】
支承体１の基部１３に設けられた推進用噴射口１８は、その軸線に対して約３０度斜め下方向に複数個が開口しており、この推進用噴射口１８からの高圧水は高圧水噴射ノズルに推進力を付与し、管内用洗浄機１０は管内を洗浄しながら自動的に進行することになる。
【００２１】
偏心回転体２の一側面に設けられた回転用噴射口２２は、削取りバランス材３の基部両側近くで偏心回転体２の外周面の接線方向に指向しており、この回転用噴射口２２からの高圧水の噴射の反動で偏心回転体２を回転する。１７は、支承体１の回転体取り付け部１４の外周面と、シートベアリング２１の部分を除いた偏心回転体２の長さ方向のほぼ中央位置の内側周囲との間に形成された高圧水溜まり２３に支承体１の高圧水通路１１に供給された高圧水を供給する内部噴射口を示す。そして、この高圧水溜まり２３の高圧水はこの回転用噴射口２２から噴射される。この偏心回転体２は偏心回転するので、その一側に固定された削取りバランス材３も偏心回転して管の内壁面を擦り、高圧水によっても除去できない固着物を機械的に剥ぎ取る作用をする。
【００２２】
また、ヘッドキャップ４の中央上端には前方噴射口４２が設けられており、この前方噴射口４２から水平方向の溝４３が連続して形成されている。この溝４３は、ヘッドキャップ４を螺合させる際に使用するマイナスドライバを係合させるためのものである。
【００２３】
前方噴射口４２からは、高圧水溜まり４１内の高圧水が噴射される。この高圧水溜まり４１へは、先述した高圧水溜まり２３内の高圧水が、支承体１の回転体取り付け部１４の外周面と上下位置に配置されたシートベアリング２１との間の僅かな隙間、及び、偏心回転体２の頂部内周面とワッシャー１５との間の僅かな隙間を介して供給されるようになっている（図面上では各隙間は省略している）。そして、前方噴射口４２からの高圧水の噴射によって、管の内壁面の付着物の除去が容易になる。
【産業上の利用可能性】
【００２４】
本発明は、水道管のような配管の管内洗浄機として利用可能である。
【図面の簡単な説明】
【００２５】
【図１】本発明に係る管内用洗浄機の断面構造を示す。
【図２】図１に示す管内用洗浄機を上方から見た図である。
【符号の説明】
【００２６】
１０  管内用洗浄機  
１  支承体
１１  高圧水通路    １２  フレキシブルホ−スとの差し込み部
１３  基部    １４  回転体取り付け部    １５  ワッシャー    １６  ビス
１７  内部噴射口    １８  推進噴射口
２  偏心回転体
２１  シートベアリング    ２２  回転用噴射口      ２３  高圧水溜まり
３  削取りバランス材（カットバランサ）
３１  穴
４  ヘッドキャップ
４１  高圧水溜まり    ４２  前方噴射口    ４３  溝
【図１】
2005066551.tif 000003
【図２】
2005066551.tif 000004